(57)【特許請求の範囲】
【請求項１】
複数の無線ゾーンを各々担当する複数の無線基地局と、それらの無線基地局を統合して制御し、通信信号を中継・交換する交換局と、各ゾーンに在圏して無線基地局と通信する移動局からなり、
該移動局は、複数の無線ゾーンが重複する領域に存在する場合に、複数の無線基地局と同時に、同一内容の情報を搭載した信号を送受信するサイトダイバシチを行える機能を備え、
該無線基地局と該交換局は、通信信号または各種の制御信号を非同期転送モード（ＡＴＭ）を使用して伝送し、
該無線基地局は、伝送されて来た移動局向けの信号を、移動局毎に単一または複数の種類の通話信号または制御信号を同一の時間の１つのフレーム内に時間軸上でマッピングし、フレームを単位として無線信号として送信する移動通信システムにおける無線基地局において、
該交換局からＡＴＭ伝送で到着する移動局向けの信号を監視して、該移動局向けのセルに欠落があった場合にはそれを検出するセル廃棄検出手段と、
無線フレームを前記移動局に向けて送信する送信手段と、
該セル廃棄検出手段によりセル廃棄が行われたと判断された場合には、前記移動局向けの該当する無線フレームの送信が行われないように前記送信手段への信号を遮断する送信停止手段と
を備えた移動通信システムにおける無線基地局。
【請求項２】
複数の無線ゾーンを各々担当する複数の無線基地局と、それらの無線基地局を統合して制御し、通信信号を中継・交換する交換局と、各ゾーンに在圏して無線基地局と通信する移動局からなり、
該移動局は、複数の無線ゾーンが重複する領域に存在する場合に、複数の無線基地局と同時に、同一内容の情報を搭載した信号を送受信するサイトダイバシチを行える機能を備え、
該無線基地局と該交換局は、通信信号または各種の制御信号を非同期転送モード（ＡＴＭ）を使用して伝送し、
該無線基地局は、伝送されて来た移動局向けの信号を、移動局毎に単一または複数の種類の通話信号または制御信号を同一の時間の１つのフレーム内に時間軸上でマッピングし、フレームを単位として無線信号として送信する移動通信システムにおける無線基地局において、
該交換局からＡＴＭ伝送で到着する移動局向けの信号を監視して、該移動局向けのセルに欠落があった場合にはそれを検出するセル廃棄検出手段と、
無線フレームを前記移動局に向けて送信する送信手段と、
該セル廃棄検出手段によりセル廃棄が行われたと判断された場合には、前記移動局向けの該当する信号が該当する無線フレームで送信されないように前記送信手段への信号を遮断する送信停止手段と
を備えた移動通信システムにおける無線基地局。
【発明の詳細な説明】
【０００１】
【発明の属する技術分野】
本発明は、無線伝送時に複数の無線基地局と各移動局がサイトダイバシチによる送受信を行うことができ、また無線基地局と交換局とがＡＴＭ伝送路による伝送を行っている移動通信システム、およびその移動通信システムに用いる交換局装置と無線基地局装置に関する。
【０００２】
【従来の技術】
図１は、携帯電話システムの概要を示している。
携帯電話システムは、複数の無線ゾーンを各々担当する複数の無線基地局（ＢＳ：Ｂａｓｅ  Ｓｔａｔｉｏｎ）  ２と、それらの無線基地局２を統合して制御し、公衆電話網（ＰＳＴＮ：Ｐｕｂｌｉｃ  Ｓｗｉｔｃｈｉｎｇ  Ｔｅｌｅｐｈｏｎｅ  Ｎｅｔｗｏｒｋ）からの通信信号を中継・    交換する移動通信交換局（ＭＳＣ：Ｍｏｂｉｌｅ  Ｓｗｉｔｃｈｉｎｇ  Ｃｅｎｔｅｒ）１と、各無線ゾーンに在圏して無線基地局２と通信する移動局（ＭＳ：Ｍｏｂｉｌ  Ｓｔａｔｉｏｎ）３から構成されている。
【０００３】
この移動通信システムでは、通信中の移動局３に対しては、通話チャネル信号（以下、ＴＣＨ信号という）の他に、通信回線の維持・管埋のための付随制御チャネル（以下、ＡＣＣＨ信号）を同時に伝送する必要があり、１つの無線フレーム内に２種類の信号を時間多重して伝送することが行われている〔参考文献３〕。
【０００４】
また、無線回線における通信品質の向上のため、隣接する無線ゾーンの境界部分などのように複数の無線ゾーンが重複する領城に存在する移動局３が、複数の無線基地局２（１）  、２（２）  ・・に対して同時に、同一内容の情報を搭載した信号の送受信を行ういわゆるサイトダイバシチを行う場合がある。このサイトダイバシチによる通信としては、例えば参考文献１がある。
【０００５】
サイトダイバシチ受信を行っている移動局３は、複数の無線基地局２（１）  、２（２）  ・・から送られてくる同一内容の無線信号（伝送周波数などは異なっていてもよい）を受信し、遅延調整を行ってから、それらの信号対雑音比が最良の状態となる様に、最大比合成受信を行う〔参考文献２〕。
【０００６】
このサイトダイバシチ機能を備えた  移動局の構成例を図２に、また、受信時の信号処埋の例を図３に各々示す。図では、２つの無線基地局２（１）  、２（２）  からの信号を同時に受信し、サイトダイバシチを行っているものとする。
【０００７】
受信部３０、復調部３２は無線基地局２（１）  からの信号を受信し、受信部３１、復調部３３は無線基地局２（２）  からの信号を受信する。各々の受信信号は、遅延調整バッファ３４、３５に一且蓄積される。最大比合成部（ＭＲＣ）３６は、遅延調整バッファ３４、３５内の信号を読み出して、同じフレーム番号をもった無線フレーム同士を信頼性情報（例えば受信信号強度）に応じて重み付けし、シンボル毎にアナログ加算する。図３にこの様子が示される。復調器３２の出力と復調器３３の出力の位相差はバッファ３４、３５で調整されて最大比合成部３６では揃えられる。最大比合成部３６では、例えば無線基地局２（１）  と２（２）  からの受信信号強度の比率をａ：ｂとし、そのデータをそれぞれＡ、Ｂとするならば、Ｃ＝ａ＊Ａ＋ｂ＊Ｂとして求めてその出力とする。
【０００８】
べースバンド信号部（ＢＢ）３７では、合成後の信号に対して誤り制御情報（ＣＨＫ）を使用して無線フレーム単位で誤り訂正処理などを行い、識別再生して受信データを再生する。さらに、処理した結果から、ＴＣＨ信号とＡＣＣＨ信号を分離し、ＴＣＨ信号は音声復号器（ＣＯＤＥＣ）３８、ＡＣＣＨ信号は制御部（ＣＯＮＴ）３９ヘ渡して必要な処理を行う。
【０００９】
無線基地局２と移動通信交換局１は、通話信号または各種の制御信号を有線伝送路を通して伝送している。サイトダイバシチ中の移動局３に伝送するための信号については、各無線基地局２（１）  、２（２）  が同一内容の無線信号を送信できるようにするために、移動通信交換局１は、複数の無線基地局２（１）  、２（２）  に、同一内容の信号を伝送路を通して分配している。
【００１０】
図４に移動通信交換局１の構成例を示す。公衆網（ＰＳＴＮ）から送られて来た通信信号（ＴＣＨ信号）は、通信先の移動局３が接続している無線基地局２への伝送路を選択するためのスイッチ１０でスイッチングされ、同一の移動局３への付随制御信号（ＡＣＣＨ信号）と多重化部１２で多重化されてから伝送路インタフェース１３に送り出される。この付随制御信号（ＡＣＣＨ信号）は、制御部１１で生成される。
【００１１】
伝送路インタフェース１３では、無線基地局２から無線信号として送信されるべきタイミングと一定位相差の関係にある送路上の位置に信号をマッピングして伝送する。このため、基準タイミング生成部１４の生成する基準タイミングに同期して伝送路への送出が行われる。サイトダイバシチ中の移動局３に、複数基地局２（１）  、２（２）  から信号を送信する場合は、同一内容の信号を必要数複製し、各無線基地局２（１）  、２（２）  への伝送路の予め定めた位置にマッピングして伝送する。
【００１２】
無線基地局２（１）  、２（２）  は、伝送されて来た移動局向けの信号を、各移動局３に向けた無線信号に変換して送信する。
【００１３】
図５に無線基地局２の構成例を示す。伝送路を通して送られて来た信号は、伝送路インタフェース２０で受信され、遅延調整用バッファ２１に記憶される。べースバンド信号部２２は、バッファ内の信号を予め定められた位相差分だけ遅延調整してから読み出して、無線フレームにマッピングし、変調部２３、送信部２４を通して移動局３へ送信する。その際、１フレーム単位で誤り制御のための検査ビット（ＣＨＫ）を付加する。
【００１４】
図６に無線基地局２の送信信号フォーマットの例を示す。図示するように、ＴＣＨ信号とＡＣＣＨ信号を組み合わせてその先頭にフレーム番号ＦＮ、末尾に検査ビットＣＨＫを付加して１フレームとし、これを送信信号として移動局３に向けて送出する。
【００１５】
【発明が解決しようとする課題】
次世代移動通信システムの高機能化の検討の一環として、異なる伝送品質の信号を効率よく伝送できるＡＴＭ伝送を、無線基地局２と移動通信交換局１の間の伝送路に適用する検討が行われている〔参考文献４〕。
【００１６】
この場合、移動通信交換局１から無線基地局２を経由して移動局３に伝送される通信チャネル信号（ＴＣＨ信号）や付随制御チャネル信号（ＡＣＣＨ信号）は、移動通信交換局１から無線基地局２へはＡＴＭセルに分解されて伝送路を通して伝送され、無線基地局２ではこれを無線信号に載せかえて移動局３にむけて送信する。なお、サイトダイバシチを行っている移動局３に対しては、その移動局３と対向している複数の無線基地局２（１）  、２（２）  ・・に対して、ＴＣＨ信号とＡＣＣＨ信号共に同一内容のメッセージが伝送され、各無線基地局２（１）  、２（２）  ・・は、それを所定の無線信号に変換してほぼ同一の時刻に送信することにより、前記移動局３におけるダイバシチ受信合成が行われる。
【００１７】
ところで、ＡＴＭを使った伝送においては、統計多重を行っているため、呼量に応じて各伝送信号毎にある確率でセル廃棄が発生する。前記ＴＣＨ信号とＡＣＣＨ信号の時間多重による無線区間の伝送に関しては、例えばＡＣＣＨ信号がＡＴＭ伝送路におけるセル廃棄を被った場合でも、セル廃棄の発生しなかったＴＣＨ信号は送信可能である。
【００１８】
ところが、移動局３が複数の無線基地局２（１）  、２（２）  ・・を相手に、サイトダイバシチ受信を行っている場合、その受信は、ＴＣＨ信号とＡＣＣＨ信号を合わせたフレーム単位で合成受信され、かつ一般には、フレーム単位で誤り訂正処理などが行われるため、一つの無線基地局２からの受信信号のうち、ＡＣＣＨ信号のみが欠落（例えばＡＣＣＨ信号がオール０の情報となっている）していると、合成受信が正常に行われず、さらにＴＣＨ信号とＡＣＣＨ信号を合わせたフレーム単位で誤り訂正が行われることから、本来は正常に受信できるはずのＴＣＨ信号にも誤りが波及してしまうという問題がある。
【００１９】
本発明はかかる問題点に鑑みてなされたものであり、サイトダイバシチ受信を行っている移動局に伝送される信号が、伝送路中でセル廃棄された場合においても、残りの基地局からの受信信号に対して誤りを与えることの無いようにして、このようなセル廃棄発生による音声信号における品質の劣化や、制御信号の無用な再送発生によるトラフィックの増加などを防ぐことを目的とする。
【００２０】
【課題を解決するための手段】
無線基地局の伝送路受信端に各信号毎にセル廃棄の検出を行う手段を設け、サイトダイバシチ中の移動局への信号にセル廃棄を検出した場合には、そのメッセージを伝送する位置のフレームの移動局への送信を停止する制御を行う。
【００２１】
【作用】
セル廃棄の発生した側の無線基地局からの信号が停止されるため、移動局は、セル廃棄の発生しなかったその他の無線基地局からの信号のみを合成等することになる。これにより、セル廃棄の発生した無線基地局の信号を合成等することによる誤りの発生を避けることができる。
【００２２】
【発明の実施の形態】
以下、図面を参照して本発明の種々の実施形態を説明する。
以下の各実施例において、移動局３は従来例と同一の構成（図２）により実現することが可能であるため、特にこれを明示しないものとする。また、各図を通じて同じ機能を持つ回路要素については同じ参照番号を付してある。
【００２３】
（実施例１）
図７は、本発明に係る実施例１としての移動通信交換局の構成例を示している。従来の移動通信交換局（図４）との構成上の差は、伝送路インタフェース１７がＡＴＭ化されている点であり、この伝送路インタフェース１７はＡＴＭによりＴＣＨ信号とＡＣＣＨ信号を無線基地局２に送出することができる。
【００２４】
公衆電話網ＰＳＴＮから送られて来た通話チャネル信号（ＴＣＨ信号）は、通信先の移動局３が接続している無線基地局２への伝送路を選択するためのスイッ１０でスイッチングされ、多重化部１２ヘ送出される。また、移動局を制御するための付随制御チャネル信号（ＡＣＣＨ信号）は、制御部１１で生成され、多重化部１２でＴＣＨ信号と多重化される。送信位置指定信号付加手段１５では、サイトダイバシチ時に異なる無線基地局２（１）  、２（２）  ・・を経由して移動局３に到達する信号を識別するため、フレーム番号ＦＮを付加する。このフレーム番号ＦＮは、フレーム番号生成部１６で生成され、送信位置指定信号付加手段１５において同一のタイミングで無線基地局２から送出されるべきＴＣＨ信号とＡＣＣＨ信号に付加される。これらの処理の完了した信号が、ＴＣＨ／ＡＣＣＨ信号伝送手段としてのＡＴＭ伝送路インタフェース１７によって無線基地局２へ送出される。
【００２５】
図８に、移動通信交換局１と無線基地局２間の伝送路上の信号フォーマット例を示す。図８上側に示す伝送する信号を一定フレーム（＃０、＃１、＃２・・）単位に区切って、図８下側に示すようにフレーム番号ＦＮをその先頭に挿入している。この場合、フレーム番号ＦＮは一定周期で一巡するつづき番号等を使用する。
【００２６】
図９に、実施例１における無線基地局の構成を示す。伝送路を通して送られて来た信号は、ＴＣＨ／ＡＣＣＨ信号伝送手段としてのＡＴＭ伝送路インタフェース２５で受信され、遅延調整用バッファメモリ２１に記憶される。べースバンド信号部２２は、送信すべき無線フレームに対応するフレーム番号ＦＮを持ったバッファ内の信号を読み出して、誤り制御情報（ＣＨＫ）などを付加し、変調部２３、送信部２４を通して移動局３へ送信する。
【００２７】
無線基地局２の送信信号フォーマット例は、図６に示したものと同じである。すなわち、ＴＣＨ信号とＡＣＣＨ信号を組み合わせてその先頭にフレーム番号ＦＮ、末尾に検査ビットＣＨＫを付加して１フレームとし、これを送信信号として移動局３に向けて送出する。
【００２８】
ここで、タイミング生成部２６は、伝送されてくる信号のセル廃棄を監視するための基準タイミングを生成する。セル廃棄検出部２７は、前記タイミング信号を基準にして、伝送路上のセルの廃棄の有無を監視する。例えば、セルが平均１０ｍｓに１セルの割合で到着するとすると、タイミング生成部２６では１０ｍｓのタイミング信号を生成し、セル廃棄検出部２７ではそのタイミング毎に新たにセルが到着しているかどうかを監視することでセル廃棄を検出する。送信停止部２８は、変調部２３と送信部２４の間にあって、送信をフレーム単位で停止制御する。ここで、この送信停止部２８に相当する手段は、送信部２４の後段にあってもいいし、変調部２３の前段にあってもよい。送信停止部２８は、セル廃棄検出部２７からセル廃棄を検出した信号が到着すると、該当する無線フレームの送信を行わないように送信部２４への信号の通過を遮断する。
これにより当該無線フレームについては移動局３に向けて電波が送信されない。
【００２９】
（実施例２）
次に本発明の実施例２について説明する。
上記のセル廃棄に対するフレーム送信停止処理は、サイトダイバシチを行っていない移動局３に対しては行う必要はない。サイトダイバシチを行っていない移動局では、２以上の受信信号の最大比合成処理を行わないので、セル廃棄を行われたフレームであっても、そのフレームに対して正しい検査ビットＣＨＫが付加されていれば、その検査ビットＣＨＫに基づいて誤り訂正処理が可能だからである。すなわち、実施例１では、サイトダイバシチを行っていない移動局３に対しては、送信フレームの無駄な廃棄が行われる可能性があり、通信の効率が悪いことになる。この実施例２はかかる場合に対処できるようにしている。
【００３０】
図１０は、実施例２における移動通信交換局の構成例を示している。実施例１の移動通信交換局（図７）との構成上の差は、各移動局３がサイトダイバシチ状態にあるか否かを通知するためのサイトダイバシチ状態信号生成手段１８と、そのサイトダイバシチ状態信号を伝送路を通して各無線基地局２へ伝送するためのダイバシチ状態伝送手段としての伝送路インタフェース１７０を有していることである。
【００３１】
図１１は、実施例２における無線基地局の構成例を示している。実施例１の無線基地局（図９）との構成上の差は、各移動局３がサイトダイバシチ状態にあるか否かを通知するためのサイトダイバシチ状態信号を伝送路を通して受け取るダイバシチ状態伝送手段としての伝送路インタフェース２５３と、ある移動局が、非サイトダイバシチ中であることを通知された場合には、非サイトダイバシチ時強制送信部２９によって、送信停止部２８に送られるセル廃棄検出部２７の出力を無効にできることである。
【００３２】
このように構成することで、サイトダイバシチを行っていない移動局に向けた無線信号の送信動作においては、伝送路でのセル廃棄の有無にかかわらず無線信号の送信を常に行うことができ、無意味な無線フレームの送信停止を防止できる。
【００３３】
（実施例３）
次に本発明の実施例３について説明する。
ＴＣＨ信号はＶＯＸ（ボイスコントロール）送信制御によってＯＮ／ＯＦＦされる場合がある。すなわち、ＶＯＸ制御を行うシステムでは、通話信号が無音である場合には、その無音部分の通話信号は送信せず有音部分だけを送信することで通信効率を上げている。その場合、上述の実施例１では、無線基地局２で下り伝送路（移動通信交換局１→無線基地局２方向の伝送路）で見ていると、ＴＣＨ信号のセルが欠落していた場合、セル廃棄が発生したのか、無音状態になったためにＶＯＸ制御によりセルが欠落したのか判定できない場合がある。そして、ＶＯＸ制御によりＴＣＨ信号のセルが欠落した場合にも実施例１のようにフレームの送信停止処理を行うと、他の有効なＴＣＨ信号やＡＣＣＨ信号までも廃棄されることになってしまう。この実施例３はかかる場合に対処できるようにしている。
【００３４】
図１２は、実施例３における移動通信交換局の構成例を示している。実施例１の移動通信交換局（図７）との構成上の差は、公衆電話網ＰＳＴＮから送られて来る音声信号を監視して、有音／無音の判定をする無音検出部１８１と、無音検出の結果から有音／無音信号（ＶＯＸ信号）を生成する無音信号生成部１８２と、生成した無音信号を伝送路に送出する無音信号送出手段としての伝送路インタフェース１７３とを有し、無線基地局２に対して、伝送している音声信号（ＴＣＨ信号）毎に有音／無音状態を通知できることである。なお、図示しないが、無音信号は、各音声信号（ＴＣＨ信号）に付随して伝送することが可能である。
【００３５】
図１３は、実施例３における無線基地局の構成例を示している。実施例１の無線基地局（図９）との構成上の差は、移動通信交換局１から送られてくる無音信号（ＶＯＸ）を受け取る無音信号検出手段としての伝送路インタフェース２５０を有し、無音であることを検出した場合には、強制送信部２９によって、セル廃棄検出部２７から送信停止部２８に送出される検出信号を無効にできることである。
【００３６】
このように構成することで、無線基地局２は、移動通信交換局１から無音を示すＶＯＸ信号を受け取った場合には、強制送信部２９によって送信停止部２８の検出結果を無効にし、無線信号の停止処理を禁止して継続して送信を行うようにすることができ、それにより、送るべき情報がなくなったためのセル非受信と統計多重によるセル廃棄を識別して、無線フレームがＶＯＸ制御により無用に送信停止されることを防止できる。
【００３７】
（実施例４）
次に本発明の実施例４について説明する。
ＡＴＭでは、送信する信号の性質に応じて通信品質や遅延時間を変えることができる。以下の実施例４はこれに対応したものである。
【００３８】
図１４は、実施例４における移動通信交換局の構成例を示している。従来の移動通信交換局（図７）との構成上の差は、ＴＣＨ信号とＡＣＣＨ信号が独立した伝送路上のＡＴＭチャネルで並行して伝送されるようになっていることである。
【００３９】
公衆電話網ＰＳＴＮから送られて来た通信信号（ＴＣＨ信号）は、通信先の移動局３が接続している無線基地局２への伝送路を選択するためのスイッチ１０でスイッチングされ、ＴＣＨ信号伝送手段としてのＡＴＭ伝送路インタフェース１７１に送り出される。いっぽう、移動局３を制御するための付随制御チャネル信号（ＡＣＣＨ信号）は、制御部１１で生成され、ＡＣＣＨ信号伝送手段としてのＡＴＭ伝送路インタフェース１７２ヘ送り出される。ＡＴＭ伝送路インタフェース１７１、１７２では、サイトタイバシチ時に異なる無線基地局２（１）  、２（２）  ・・を経由して移動局３に到達する信号を識別するため、フレーム番号ＦＮを付加する。フレーム番号ＦＮは、フレーム番号生成部１６で生成され、同一のタイミングで無線基地局２から送出されるべきＴＣＨ信号とＡＣＣＨ信号に付加されて無線基地局２へ送出される。
【００４０】
図８に、伝送路上の信号フォーマット例を示す。伝送する信号を一定フレーム単位に区切って、フレーム番号ＦＮをその先頭に挿入している。この場合、フレーム番号ＦＮは一定周期で一巡するつづき番号等を使用する。
【００４１】
図１５に実施例４における無線基地局の構成例を示す。伝送路を通して送られて来たＴＣＨ信号とＡＣＣＨ信号信号は、それぞれＴＣＨ信号伝送手段としてのＡＴＭ伝送路インタフェース２５１、ＡＣＣＨ信号伝送手段としてのＡＴＭ伝送路インタフェース２５２で受信され、遅延調整用バッファメモリ２１１、２１２にそれぞれ記憶される。べースバンド信号部２２は、バッファ２１１、２１２内の信号に付加されているフレーム番号ＦＮを比較し、そのフレーム番号ＦＮが等しい信号同士を読み出して、同一の無線フレームに多重化し、変調部２３、送信部２４を通して移動局３へ送信する。
【００４２】
ここで、タイミング生成部２６１、２６２は、各々ＴＣＨ信号およびＡＣＣＨ信号のセル廃棄を監視するための基準タイミシグを生成する。セル廃棄検出部２７１およびセル廃棄検出部２７２は、前記タイミング信号を基準にして、伝送路上のセルの廃棄の有無を監視する。例えば、セルが平均１０ｍｓに１セルの割合で到着するとすると、タイミング生成部２６１、２６２では、１０ｍｓのタイミング信号を生成し、セル廃棄検出部２７１、２７２では、そのタイミング毎に新たにセルが到着しているかどうかを監視することでセル廃棄を検出する。
【００４３】
送信停止部２８は、変調部２３と送信部２４の間にあって、送信をフレーム単位で停止制御する。ここで、送信停止部２８に相当する手段は、送信部２４の後段にあってもいいし、変調部２３の前段にあってもよい。送信停止部２８は、前記セル廃棄検出部２７１、２７２のいずれか一方から、セル廃棄を検出した信号が到着すると、該当する無線フレームの無線送信を行わないように、送信部２４への信号の通過を遮断する。
【００４４】
無線基地局の送信信号フォーマット例は、図６に示したものと同じである。ここでは、無線基地局２のベースバンド信号部２２は、送信すべき無線フレームタイミングに対応するフレーム番号ＦＮを持つＴＣＨ信号とＡＣＣＨ信号をバッファ２１１、２１２内から探索し、それを同一の無線フレームに多重化して送信する。その際、１フレーム単位で誤り制御のための検査ビットＣＨＫを付加している。
【００４５】
（実施例５）
次に、本発明の実施例５について説明する。
上記の実施例３の問題と同様であるが、ＡＣＣＨ信号は、制御情報が無い場合には、伝送されないため、無線基地局２の下り伝送路入口で見ていると、セル廃棄の発生と制御情報の無い場合の見分けがつかない場合があり、この場合にも実施例１のようなセル廃棄に対する無線フレームの送信停止処理をすると、他の有効な情報が廃棄されてしまうことがある。この実施例５はかかる場合に対処できるようにしている。
【００４６】
図１６は、実施例５における移動通信交換局の構成例を示している。実施例４の移動通信交換局（図１４）との構成上の差は、ＡＣＣＨ停止部１８３と、ＡＣＣＨ先頭・最終情報生成部１８４と、ＡＣＣＨフレーム生成部１８５を備えていることである。このＡＣＣＨ先頭・最終情報生成部１８４とＡＣＣＨフレーム生成部１８５とはＡＣＣＨ分割部１８０を構成する。
【００４７】
ＡＣＣＨ停止部１８３は、各移動局３に対するＡＣＣＨ信号メッセージが存在しない場合には、ＡＣＣＨ信号の伝送路への送出を停止する。
ＡＣＣＨ分割部１８０は、ＡＣＣＨ信号の１単位のメッセージ信号をそれより短い適当な長さのユニットに分割し、その際、無線基地局２または移動局３においてメッセージを再構築するために、メッセージ内の位置に基づく先頭ユニット情報（ＡＣＣＨＴＯＰ）および最終ユニツト情報（ＡＣＣＨＥＮＤ）を、分割したユニットに付加して、伝送路に送出する。
【００４８】
このＡＣＣＨ分割部１８０は、先頭ユニット情報（ＡＣＣＨＴＯＰ）と最終ユニット情報（ＡＣＣＨＥＮＤ）を生成するＡＣＣＨ先頭・最終情報生成部１８４と、ＡＣＣＨ信号メッセージをユニットに分割し、先頭ユニット／最終ユニット情報を挿入するＡＣＣＨフレーム生成部１８５から構成される。
【００４９】
図１７は、実施例５における無線基地局の構成例を示している。実施例４との構成上の差は、伝送路を通して送られてくるＡＣＣＨ信号のメッセージの先頭を検出するＡＣＣＨ先頭ユニット検出部２９１と、終わりを検出するＡＣＣＨ最終ユニット検出部２９２とを有し、これらの検出信号に基づきセル廃棄検出部２７２からの出力をオン／オフするセル廃棄検出無効化部２９３を備える。このセル廃棄検出無効化部２９３は、ＡＣＣＨ先頭ユニット検出部２９１がＡＣＣＨ信号の先頭ユニットを検出した場合には、前記ＡＣＣＨ信号のセル廃棄検出部２７２の検出結果を有効にしてセル廃棄が検出されたときに無線信号の送信を停止するようにし、ＡＣＣＨ最終ユニット検出部２９２がＡＣＣＨ信号の最終ユニットを検出した場合には、セル廃棄検出部２７２の検出結果を無効にしてセル廃棄の検出の有無にかかわらず無線信号の送信を継続して行うようにする。
【００５０】
このように構成することで、制御情報が無いためにＡＣＣＨ信号が伝送されない場合に、無線フレームの送信停止処理がされてしまうことを防止できる。
【００５１】
（実施例６）
次に、本発明の実施例６について説明する。
上述の実施例５では、最終ユニット情報（ＡＣＣＨＥＮＤ）が何かしらの理由で失われた場合には、無線フレームの送信停止処理の禁止を行えない。実施例６はこれに対処できるものである。
【００５２】
図１８は、本発明の実施例６における移動通信交換局の構成例を示している。実施例４の移動通信交換局（図１４）との構成上の差は、ＡＣＣＨ分割部１８８を備えていることで、このＡＣＣＨ分割部１８８は、ＡＣＣＨ信号を伝送路に送出する時に、１単位のメッセージ信号をそれより短い適当な長さのユニットに分割し、その際、無線基地局または移動局においてメッセージを再構築するために、メッセージ内の位置に基づく残ユニット数情報（ＡＣＣＨＮＵＭ）を、分割した各々のユニットに付加して伝送路に送出する。
【００５３】
このＡＣＣＨ分割部１８８は、残ユニット数情報（ＡＣＣＨＮＵＭ）を生成するＡＣＣＨ残ユニット数情報生成部１８６と、ＡＣＣＨメッセージをユニットに分割し、残ユニット数情報を挿入するＡＣＣＨフレーム生成部１８５から構成される。
【００５４】
図１９は、本発明の実施例６における無線基地局の構成例を示している。実施例５との構成上の差は、ＡＣＣＨ残セル数検出部２９４と、ＡＣＣＨ残セルカウント部２９５とを備えていることである。ＡＣＣＨ残セル数検出部２９４は、伝送路を通して送られてくるＡＣＣＨチャネル信号のメッセージの残ユニット数情報を検出する。ＡＣＣＨ残セルカウント部２９５は、、このＡＣＣＨ残セル数検出部２９４で残ユニット数が検出される度に、カウント残数を設定し、かつ、ＡＣＣＨセル廃棄検出用タイミング生成部２６２が生成するタイミングを基準として一定時間毎にカンウト残数を減算することでメッセージ終了までの残りユニット数を数える。セル廃棄検出無効化部２９３は、前記ＡＣＣＨ残セル数検出部２９５のユニット残数がゼロでは無い期間のみ、前記実施例５の先頭検出カウント同様、ＡＣＣＨ信号のセル廃棄検出部２７２の検出結果を有効とすることで、この期間にセル廃棄を検出した場合には、無線信号の停止処理を行って送信を停止するようにしている。
【００５５】
このように実施例５、６では、ＡＣＣＨメッセージの先頭・最終情報、または残セル数情報を付加して移動通信交換局が信号を送出し、無線基地局では、この先頭・最終または残セル数を管理することで、ＡＣＣＨメッセージの有無を検出し、メッセージ受信中のみセル廃棄検出結果が有効に機能して送信停止が行われるように制御している。これにより、送るべき情報がなくなったためのセル非受信と、統計多重によるセル廃棄を識別して、無用の送信停止を避けることが可能となる。
【００５６】
本発明の実施にあたっては種々の変形形態が可能である。例えば上述の実施例では携帯電話システムに本発明を適用したが、本発明はこれに限られるものではなく、例えば自動車電話などのような移動体通信システムに一般的に適用できるものである。また、無線基地局の上位局はこの実施例のような移動通信交換局に限られるものではなく、例えば無線制御局、移動用交換装置などの交換局であってもよい。
【００５７】
また、上記の実施例では、サイトダイバシチ中の移動局の受信動作においては、複数の無線基地局の送信する自局向けの複数の信号を、受信シンボル単位で遅延調整を行ってから最大比合成をするようにしたが、本発明はこれに限られず、例えば、受信シンボル単位で検波後選択受信するか、あるいははフレーム単位でアンテナ選択受信を行うようにしてもよい。
【００５８】
〔参考文献〕
（文献１）  ：ＴＩＡ／ＥｌＡ／ＩＳ−９５−Ａ、Ｍｏｂｉｌ  Ｓｔａｔｉｏｎ−Ｂａｓｅ  Ｓｔａｔｉｏｎ  Ｃｏｍｐａｔｉｂｉｌｉｔｙ  Ｓａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ．
（文献２）  ：Ｗ．  Ｃ．  Ｙ．  Ｌｅｅ、ＭＯＢＩＬＥ  ＣＯＭＭＵＮＩＣＡＴＩＯＮＳ  ＥＮＧＩＮＥＥＲＩＮＧ，  Ｍｃ    Ｇｒａｗ−Ｈｉｌｌ，（１９８２）  ｐｐ．３０４−３１２
（文献３）：財団法人電波システム閉発センター、デイジタル方式自動車電話システム標準規格、ＲＣＲ  ＳＴＤ−２７（１９９１）
（文献４）：中村他、次世代移動通信網におけるＭｏｂｌｅ  ＡＴＭ導入シナリオ、電子情報通信学会総合大会（１９９６）Ｂ−３３２
【００５９】
【発明の効果】
本発明によれば、サイトダイバシチ受信を行っている移動局に伝送される信号が、伝送路中でセル廃棄された場合においても、残りの基地局からの受信信号に対して誤りを与えることの無いように送信を停止することができ、このようなセル廃棄発生による音声信号における品質の劣化や、制御信号の無用な再送発生によるトラフィックの増加などを防ぐことが可能となる。
【００６０】
また、請求項３のようにＴＣＨ信号がＶＯＸ制御によってＯＮ／ＯＦＦされた場合や、請求項５、６のようにＡＣＣＨ信号が制御情報が無いため伝送されない場合でも、送るべき情報がなくなったためのセル非受信と統計多重によるセル廃棄を識別して、無用の送信停止を避けることが可能となる。
【図面の簡単な説明】
【図１】移動通信システムの構成例を示す図である。
【図２】移動局の構成例を示す図である。
【図３】移動局内の信号処理例を示す図である。
【図４】移動通信交換局の従来構成例を示す図である。
【図５】無線基地局の従来構成例を示す図である。
【図６】無線基地局の送信信号のフォーマット例を示す図である。
【図７】本発明の実施例１における移動通信交換局の構成例を示す図である。
【図８】実施例における伝送路上の信号のフォーマット例を示す図である。
【図９】本発明の実施例１における無線基地局の構成例を示す図である。
【図１０】本発明の実施例２における移動交換局の構成例を示す図である。
【図１１】本発明の実施例２における無線基地局の構成例を示す図である。
【図１２】本発明の実施例３における移動交換局の構成例を示す図である。
【図１３】本発明の実施例３における無線基地局の構成例を示す図である。
【図１４】本発明の実施例４における移動交換局の構成例を示す図である。
【図１５】本発明の実施例４における無線基地局の構成例を示す図である。
【図１６】本発明の実施例５における移動交換局の構成例を示す図である。
【図１７】本発明の実施例５における無線基地局の構成例を示す図である。
【図１８】本発明の実施例６における移動交換局の構成例を示す図である。
【図１９】本発明の実施例６における無線基地局の構成例を示す図である。
【符号の説明】
１  移動通信交換局
２  無線基地局
３  移動局
ＰＳＴＮ  公衆電話網
１０  通信信号切換え手段（スイッチ）
１１  制御部
１２  多重化部
１３  送信位置指定信号付加部
１４  基準タイミング生成部
１６  送信位置指定信号生成部
１７、１７０〜１７３  ＡＴＭ伝送路インタフェース
１８  サイトダイバシチ状態信号生成部
１８０  ＡＣＣＨ分割部
１８１  無音検出部
１８２  無音信号生成部
１８３  セル廃棄検出無効化部
１８４  ＡＣＣＨ先頭・最終情報生成部
１８５  ＡＣＣＨフレーム生成部
１８６  ＡＣＣＨ残ユニット数情報生成部
２０  伝送路インタフェース
２１、２１１、２１２  バッファメモリ
２２  ベースバンド信号部
２３  変調部
２４  送信部
２５、２５０〜２５３  ＡＴＭ伝送路インタフェース
２６、２６１、２６２  セル廃棄検出用タイミング生成部
２７  セル廃棄検出部
２７１  ＴＣＨ信号用セル廃棄検出部
２７２  ＡＣＣＨ信号用セル廃棄検出部
２８  送信停止部
２９  強制送信部
２９１  ＡＣＣＨ先頭ユニット検出部
２９２  ＡＣＣＨ最終ユニット検出部
２９３  セル廃棄検出無効化部
２９４  ＡＣＣＨ残セル数検出部
２９５  ＡＣＣＨ残セルカウント部
３０、３１  受信部
３２、３３  復調部
３４、３５  バッファメモリ
３６  最大比合成部
３７  ベースバンド信号部
３８  音声復号器
３９  制御部
【図１】
0003563219.tif 000002
【図２】
0003563219.tif 000003
【図３】
0003563219.tif 000004
【図４】
0003563219.tif 000005
【図５】
0003563219.tif 000006
【図６】
0003563219.tif 000007
【図７】
0003563219.tif 000008
【図８】
0003563219.tif 000009
【図９】
0003563219.tif 000010
【図１０】
0003563219.tif 000011
【図１１】
0003563219.tif 000012
【図１２】
0003563219.tif 000013
【図１３】
0003563219.tif 000014
【図１４】
0003563219.tif 000015
【図１５】
0003563219.tif 000016
【図１６】
0003563219.tif 000017
【図１７】
0003563219.tif 000018
【図１８】
0003563219.tif 000019
【図１９】
0003563219.tif 000020